(57)【要約】      （修正有） 【課題】夏季のように、気温が上昇する環境下においても、花立て容器内の水温の上昇を抑えることで、花立て容器内の雑菌の繁殖を抑えることができる植物立て容器を提供する。【解決手段】植物を立てるための容器内１に、この容器内の水２を冷やす保冷部材３を収容する。又、熱取り部材を備え、この熱取り部材は、吸水性且つ蒸散性を有する素材で形成されると共に、この熱取り部材の一部が前記容器内の水中に浸漬され、残りの部分は空気中に露出するように設けられることで、容器内の水をこの熱取り部材から蒸発させる際の気化熱を前記容器内の水から奪うことによって、容器内を冷やすための手段を講じても良い。【選択図】図１
0003149568.tif 000002
【実用新案登録請求の範囲】
【請求項１】
根切りした植物を立てるための容器内に、この容器内の水を冷やす保冷部材を収容したことを特徴とする植物立て容器。
【請求項２】
熱取り部材を備え、この熱取り部材は、吸水性且つ蒸散性を有する素材で形成されると共に、この熱取り剤の一部が前記容器内の水中に浸漬され、残りの部分は空気中に露出するように設けられることで、容器内の水をこの熱取り剤から蒸発させる際の気化熱を前記容器内の水から奪うことによって、容器内を冷やすことを特徴とする請求項１に記載の植物立て容器。
【請求項３】
前記熱取り剤は、吸水性の紙、スポンジ、布等によって形成されていることを特徴とする請求項２に記載の植物立て容器。
【考案の詳細な説明】
【技術分野】
【０００１】
本考案は、植物を立てるための植物立て容器に関するものである。
【背景技術】
【０００２】
夏季のように、気温が上昇する環境下においては、花立て容器内の水温が上昇して、花立て容器内に雑菌が繁殖し、その結果、花立て容器内の水が腐って悪臭を発生させたり、或いは、この雑菌が花立て容器内の植物を腐らせることもあって、植物にとって好ましい環境ではなかった。
【考案の概要】
【考案が解決しようとする課題】
【０００３】
一方、特許文献１に示すように、様々な花立て容器が提案されている。しかし、特許文献１に記載の花立て容器は、花立て容器内の雑菌の繁殖等を防ぐことを目的としてはいない。
【０００４】
このため、夏季のように、気温が上昇する環境下においても、花立て容器内の水温の上昇を抑えることで、花立て容器内の雑菌の繁殖を抑えることができる植物立て容器が以前から望まれていた。
【０００５】
本考案は前記背景技術の問題点に鑑みてなされたもので、その目的は、夏季のように、気温が上昇する環境下においても、花立て容器内の水温の上昇を抑えることで、花立て容器内の雑菌の繁殖を抑えることができる植物立て容器を提供することにある。
【課題を解決するための手段】
【０００６】
請求項１に記載の考案は、植物を立てるための容器内に、この容器内の水を冷やす保冷部材を収容したことを特徴とするものである。
【０００７】
請求項２に記載の考案は、請求項１に記載の考案において、熱取り部材を備え、この熱取り部材は、吸水性且つ蒸散性を有する素材で形成されると共に、この熱取り部材の一部が前記容器内の水中に浸漬され、残りの部分は空気中に露出するように設けられることで、容器内の水をこの熱取り部材から蒸発させる際の気化熱を前記容器内の水から奪うことによって、容器内を冷やすことを特徴とするものである。
【０００８】
請求項３に記載の考案は、請求項２に記載の考案において、前記熱取り部材は、吸水性且つ蒸散性を有する紙、スポンジ、布等によって形成されていることを特徴とするものである。
【考案の効果】
【０００９】
請求項１に記載の考案によれば、植物立て容器の水を保冷部材が冷やすために、植物がしおれない。又、植物立て容器の水が冷やされるために、雑菌の繁殖が防止されて、腐敗臭の発生を防止できる。
【００１０】
請求項２に記載の考案によれば、熱取り部材が、植物立て容器内を更に冷やすことができるために、植物が一層しおれず、又、植物立て容器の水が冷やされるために、雑菌の繁殖が防止されて、腐敗臭の発生を防止できる。
【００１１】
請求項３に記載の考案によれば、吸水性且つ蒸散性を有する紙、スポンジ、布等によって、熱取り部材を形成することができる。
【図面の簡単な説明】
【００１２】
【図１】植物立て容器の斜視図である。（第１実施形態）
【図２】植物立て容器の断面図である。（第２実施形態）
【図３】植物立て容器の断面図である。（第３実施形態）
【図４】植物立て容器の断面図である。（第４実施形態）
【図５】植物立て容器の断面図である。（第５実施形態）
【図６】植物立て容器の断面図である。（第６実施形態）
【図７】植物立て容器の断面図である。（第７実施形態）
【図８】植物立て容器の断面図である。（第８実施形態）
【図９】植物立て容器の断面図である。（第９実施形態）
【図１０】植物立て容器の断面図である。（第１０実施形態）
【図１１】熱取り部材の断面図である。（第１０実施形態）
【図１２】植物立て容器の断面図である。（第１０実施形態）
【図１３】植物立て容器の断面図である。（第１１実施形態）
【図１４】植物立て容器の断面図である。（植物立て容器の変型例）
【図１５】植物立て容器の断面図である。（植物立て容器の変型例）
【図１６】植物立て容器の断面図である。（植物立て容器の変型例）
【考案を実施するための形態】
【００１３】
図１は第１実施形態を示す。図１は、植物立て容器１内の水２中に保冷部材３を収容した形態を示す。保冷部材３とは、植物立て容器１内の水２を冷やす効果を有するものであれば、材質は限定されず、公知の保冷部材３を用いることができる。
【００１４】
次に、作用を説明する。保冷部材３が植物立て容器１内の水２を冷やすために、夏季等においても植物立て容器１内の水２が過度に高温にならない。このため、植物立て容器１内の雑菌の異常繁殖を抑えることができて、植物立て容器１内の水２が腐って腐敗臭を発する現象を防止することができる。又、このように、植物立て容器１内の水２が過度に高温にならないために、植物４がしおれたり、植物４が雑菌の影響で枯れたりする事態を防止することができ、植物４を長持ちさせることができる。
【００１５】
図２は第２実施形態を示す。この第２実施形態の特徴は、植物立て容器１の側面に保冷部材３を設け、保冷部材３をキャップ５で覆った点にある。この第２実施形態においても、保冷部材３が植物立て容器１を冷やすことで、植物立て容器１内の水２を冷やすことができて、植物立て容器１内の雑菌の繁殖を抑えることができて、植物立て容器１を植物４にとって良い環境になる。
【００１６】
図３は第３実施形態を示す。この第３実施形態の特徴は、植物立て容器１の底６を二重底にして、空間７内に保冷部材３を収容した点にある。この第３実施形態においても、保冷部材３が植物立て容器１を冷やすことで、植物立て容器１内の水２を冷やすことができて、植物立て容器１内の雑菌の繁殖を抑えることができて、植物立て容器１内が植物４にとって良い環境になって、植物４が長持ちすることができる。
【００１７】
図４は第４実施形態を示す。この第４実施形態の特徴は、植物立て容器１の側面７に内側から凹部８を設け、この凹部８内に保冷部材３を収容した後、この凹部８を蓋９で塞いだ点にある。この第４実施形態においても、保冷部材３が植物立て容器１を冷やすことで、植物立て容器１内の水２を冷やすことができて、植物立て容器１内の雑菌の繁殖を抑えることができて、植物立て容器１内が植物４にとって良い環境になって、植物４が長持ちすることができる。
【００１８】
図５は第５実施形態を示す。この第５実施形態の特徴は、植物立て容器１の側面７に外側から凹部１０を設け、この凹部１０内に保冷部材３を収容した後、この凹部１０を蓋１１で塞いだ点にある。この第５実施形態においても、保冷部材３が植物立て容器１を冷やすことで、植物立て容器１内の水２を冷やすことができて、植物立て容器１内の雑菌の繁殖を抑えることができて、植物立て容器１内が植物４にとって良い環境になって、植物４が長持ちすることができる。
【００１９】
図６は第６実施形態を示す。この第６実施形態の特徴は、植物立て容器１を直方体に形成すると共に、底に保冷剤３を載置し、保冷剤３の上から保冷剤３を抑える抑え部材３Ａを設けた点にある。このように、抑え部材３Ａで保冷剤３の浮き上がりを防止することで、保冷剤３を安定良く容器１内に設置することができる。
【００２０】
図７は第７実施形態を示す。保冷剤３を収容する収容部３Ｂを設け、この収容部３Ｂの上部に引っ掛け部３Ｃを設け、この引っ掛け部３Ｃを容器１の上端に引っ掛けることで、保冷剤３を容器１内に設けた点にある。
【００２１】
図８は第８実施形態を示す。この第８実施形態の特徴は、第１実施形態の変形例であって、植物立て容器１の上端の内側にリング状に、熱取り部材１２を設けた点にある。この熱取り部材１２は、吸水性の素材で形成されると共に、この熱取り部材１２の下部１２Ａが前記容器１内の水２中に浸漬され、上部１２Ｂが空気中に露出するように設けられている。
【００２２】
この第８実施形態においては、熱取り部材１２が前記容器１内の水２を吸い上げて、図中矢印で示すように、空気中に蒸発させ、その際の気化熱を植物立て容器１内の空気、水２等から奪うために、植物立て容器１内の空気や水２の温度が低下することができて、植物立て容器１内に雑菌の繁殖を抑えることができ、植物立て容器１内が植物４にとって環境の良いものとなって、植物４が長持ちすることができる。この熱取り部材１２の素材としては、吸水性のものであれば良く、例えば、紙、スポンジ、布等が該当する。
【００２３】
又、熱取り部材１２は定期的に水洗いして再使用することができる。更に、熱取り部材１２が、水２を吸い上げる際に、水２中の雑菌も水と一緒に吸い上げるために、定期的に、この熱取り部材１２を水洗いすることによって、熱取り部材１２に付着している雑菌を洗い流すことになり、結果として、植物立て容器１内の雑菌を取り除いて、植物立て容器１内を衛生的に保つことができる。
【００２４】
図９は第９実施形態を示す。この第９実施形態の特徴は、第８実施形態の変形例であって、熱取り部材１２の上部１２Ｂを植物立て容器１の縁よりも上方へ伸ばした点にある。この第７実施形態においては、熱取り部材１２が吸い上げた水２は、熱取り部材１２の上部１２Ｂの表裏面から、図中、矢印で示すように、効率良く蒸発できて、植物立て容器１内の熱を効率よく除去することができて、植物立て容器１内の環境が植物４にとって一層良い状態になって、植物４が更に、長持ちすることができる。
【００２５】
図１０乃至図１２は第１０実施形態を示す。この第１０実施形態の特徴は、熱取り部材１２を固まり状にした点にある。図１１は、熱取り部材１２の断面を示す。同図１０に示すように、熱取り部材１２は、中心に浮力を有する浮き部１３を備え、この浮き部１３の外周に吸水性の紙、スポンジＳ、布等を取り付けて形成することができる。この浮き部１３は、浮力を有して水に浮くことのできるものであって、例えば、内部に空気を取り込んだプラスチック性の球体で形成することができる。又、熱取り部材１２に着色を施すことで、装飾的な見栄えを良くすることができる。又、浮き部１３内に保冷剤３を収容することも可能である。
【００２６】
この第１０実施形態においては、図１２に示すように、熱取り部材１２が水に浮いた状態で、植物立て容器１内の水２を吸水して蒸発させるために、この蒸発の際に、植物立て容器１内の熱を効率良く奪うことができ、植物立て容器１内の環境が植物にとって一層良い状態になって、植物４が更に、長持ちすることができる。
【００２７】
この第１０実施形態においては、図１０に示すように、植物立て容器１内に立てられている植物４の本数が多い場合には、熱取り部材１２は、植物４の茎と植物立て容器１との間に挟まれる等にして、水中に沈んだ状態の熱取り部材１２もある。しかし、図１２に示すように、植物立て容器１内から植物４を取り除いて、隙間ができた場合には、水中に沈んでいた熱取り部材１２が浮き上がって水面に現れることで、多くの熱取り部材１２によって、植物立て容器１内の熱を効率良く奪うことができ、植物立て容器１内の環境が植物４にとって一層良い状態になって、植物４が更に、長持ちすることができる。
【００２８】
図１３は第１１実施形態を示す。この第１１実施形態の特徴は、熱取り部材１２を長方形等に形成すると共に二つ折りにし、その一方の側１２Ｃを植物立て容器１内の水２に浸すと共に、その他方の側１２Ｄを植物立て容器１の外側に垂れ下げて空気に触れさせた点にある。このようにしても、植物立て容器１内の熱を効率良く奪うことができ、植物立て容器１内の環境が植物４にとって一層良い状態になって、植物４が更に、長持ちすることができる。
【００２９】
図１４乃至図１６は、植物立て容器１の他の例を示す。図１４は植物立て容器１を直方体に形成し、その上部の内側に熱取り部材１２を取り付けた場合を示す。又、図１５は植物立て容器１を直方体に形成し、熱取り部材１２の上部１３を植物立て容器１の上端よりも上方へ伸ばした点にある。又、図１６は植物立て容器１を、広口のバケツ型に形成し、その上部内側に熱取り部材１２を取り付けた点にある。
【００３０】
更に、植物立て容器１を素焼きに形成することによって、この植物立て容器１を通して植物立て容器１から外部へ染み出した水が蒸散する際の気化熱によってこの植物立て容器１内を冷やすことができる。
【産業上の利用可能性】
【００３１】
この発明は、植物立て容器内の温度を下げる際に用いることができる。
【符号の説明】
【００３２】
１  植物立て容器
２  水
３  保冷部材
４  植物
１２  熱取り部材
【先行技術文献】
【特許文献】
【００３３】
【特許文献１】特開２００６−５５４８２号公報
【図１】
0003149568.tif 000003
【図２】
0003149568.tif 000004
【図３】
0003149568.tif 000005
【図４】
0003149568.tif 000006
【図５】
0003149568.tif 000007
【図６】
0003149568.tif 000008
【図７】
0003149568.tif 000009
【図８】
0003149568.tif 000010
【図９】
0003149568.tif 000011
【図１０】
0003149568.tif 000012
【図１１】
0003149568.tif 000013
【図１２】
0003149568.tif 000014
【図１３】
0003149568.tif 000015
【図１４】
0003149568.tif 000016
【図１５】
0003149568.tif 000017
【図１６】
0003149568.tif 000018